(57)【要約】【課題】指先に力のない幼児や女子であっても、多数のアクセサリーを容易に連続して布地へ取り付けすることを可能とする。【解決手段】アクセサリー１が装填されたリフィル１１を回転自在に収容する収容部２０が形成された載置部材１２と、該載置部材１２の上方に配置されるとともに布地３を貫通した止めリング４の爪７を布地３の裏面に沿って折り曲げる受け部材１３を備えた操作部材１４と、リフィル１１の保持穴１８内に進入して保持穴１８内のアクセサリー１を受け部材１３へ向けて押圧させる押え部材１５を備えたベース部材１６とから構成され、上記載置部材１２と操作部材１４およびベース部材１６を各々の後端部において回動可能に枢支させた。【選択図】　　　図１
0003098058.tif 000002
【実用新案登録請求の範囲】
【請求項１】
以下の要件を備えたことを特徴とするアクセサリー留め装置。
（イ）アクセサリーは、布地に刺し通して折り曲げられる複数の爪を備えた環状の止めリングと、該止めリングによって保持されるアクセサリー本体とからなること
（ロ）円盤状に形成されるとともに該円盤の円周方向に沿って形成された多数の保持穴内に前記アクセサリーを装填したリフィルを着脱可能に設けていること
（ハ）前記爪を上向きにした状態で前記リフィルを回転自在に収容する収容部が形成されるとともに布地を載置する載置部材と、該載置部材の上方に配置されるとともに布地を貫通した止めリングの爪と係合して爪を布地の裏面に沿って折り曲げる受け部材を備えた操作部材と、前記載置部材の下方に配置されるとともに前記リフィルの保持穴内に進入して保持穴内のアクセサリーを前記受け部材へ向けて押圧させる押え部材を備えたベース部材とから構成され、上記載置部材と操作部材およびベース部材を各々の後端部において回動可能に枢支させたこと
【請求項２】
前記リフィルの外周の一部を収容部の側面部から外方に突出させて収容し、前記リフィルを外部から収容部内で回転できるようにしたことを特徴とする請求項１に記載のアクセサリー留め装置。
【考案の詳細な説明】
【０００１】
【考案の属する技術分野】
本考案は、ガラスやプラスチック等の材料によって模造宝石等の形状に形成されたアクセサリーを、被服やバッグ又はその他の身の回り品へ取り付けるアクセサリー留め装置に関する。
【０００２】
【従来の技術】
衣服やバッグ又はその他の身の回り品を飾るため、任意の布地に取り付けすることができるようにされたアクセサリーが知られている。これらのアクセサリーはプラスチック材やガラス材又は天然石等によって模造宝石等の任意形状に作られ、それ自体に穴を開け、この穴に糸を通して布地に縫い付けるか、あるいは模造宝石などのアクセサリー本体を金属の留め手段に止め、この留め手段を布地に縫い付けることによって止着されていた。
【０００３】
【考案が解決しようとする課題】
ところでこのようなアクセサリーは特に幼児や女子に好まれて使用されることが多く、取り付け作業は幼児や女子によって行われることが多い。しかしながら、アクセサリーやその止めリングを布地に縫い付ける作業は、熟練者によって行われるものであり、指先に力のない幼児や女子にとってきわめて困難な作業であった。このため、幼児や女子が自分の好みによってたくさんのアクセサリーの取り付け作業を行うことができない状況であった。
【０００４】
本考案は、指先に力のない幼児や女子であっても、容易にアクセサリーの取り付けが行えるとともに、多数のアクセサリーを連続して布地へ取り付けすることが可能なアクセサリー留め装置を提供することを課題とする。
【０００５】
【課題を解決するための手段】
上記課題を解決するため本考案のアクセサリー留め装置は、以下の要件を備えたことを特徴とする。
（イ）アクセサリーは、布地に刺し通して折り曲げられる複数の爪を備えた環状の止めリングと、該止めリングによって保持されるアクセサリー本体とからなること
（ロ）円盤状に形成されるとともに該円盤の円周方向に沿って形成された多数の保持穴内に前記アクセサリーを装填したリフィルを着脱可能に設けていること
（ハ）前記爪を上向きにした状態で前記リフィルを回転自在に収容する収容部が形成されるとともに布地を載置する載置部材と、該載置部材の上方に配置されるとともに布地を貫通した止めリングの爪と係合して爪を布地の裏面に沿って折り曲げる受け部材を備えた操作部材と、前記載置部材の下方に配置されるとともに前記リフィルの保持穴内に進入して保持穴内のアクセサリーを前記受け部材へ向けて押圧させる押え部材を備えたベース部材とから構成され、上記載置部材と操作部材およびベース部材を各々の後端部において回動可能に枢支させたこと
なお、前記リフィルの外周の一部を収容部の側面部から外方に突出させて収容し、前記リフィルを外部から収容部内で回転できるようにするのが好ましい。
【０００６】
【考案の実施の形態】
以下、図に示す実施例に基づいて本考案の実施の形態を説明する。図１は本考案の実施例にかかるアクセサリー留め装置１０であり、アクセサリー留め装置１０は多数のアクセサリーが装填されている円盤状に形成されたリフィル１１と、このリフィル１１をリフィル１１に装填されているアクセサリー１を取付位置へ位置決めできるよう保持する載置部材１２と、前記リフィル１１に装填されているアクセサリー１の保持リング４に形成された爪７を折り曲げする受け部材１３を保持している操作部材１４と、リフィル１１に保持されているアクセサリー１を前記受け部材１３に向けて押圧させる押え部材１５を保持しているベース部材１６とにより構成されており、前記操作部材１４と載置部材１２およびベース部材１６とが載置部材１２を中央にして各々の後端部において回動可能に枢支されている。
【０００７】
なお、図１１に示されるように、アクセサリー１は、プラスチック材やガラス材又は天然石等によって模造宝石等の任意形状に作られたアクセサリー本体２と、このアクセサリー本体２を布地３に止着させる止めリング４によって構成されている。
【０００８】
止めリング４はアクセサリー本体２の外形形状とほぼ同じ形状に形成した管状部５とこの管状部５の端縁から内径方向に向けてアクセサリー本体２の外形形状より小さい内径に形成された環状保持部６および、この止めリング４を布地３に取り付けるため前記管状部５の端縁から突出させて形成した複数本の爪７によって形成されている。上記アクセサリー１は、上記アクセサリー留め装置１０により、止めリング４の爪７の間の管状部５内にアクセサリー本体１を収容した状態で、図１２（ａ）（ｂ）に示されるように、止めリング４の複数の爪７を布地３に刺し通して、布地３の裏面側に貫通した爪７を布地３の裏面に沿って折り曲げすることによって取り付けられるものである。
【０００９】
多数のアクセサリー１が装填されるリフィル１１は、図２に示すように中心部に中心開口１７が形成された円盤状に形成されており、更に、このリフィル１１にはリフィル１１の表面側から裏面側へ貫通された複数の保持穴１８が円周方向に沿って等間隔で形成されており、この個々の保持穴１８内に爪７を上向きにした止めリング４と表面を下向きにしたアクセサリー本体２とが組み合わせられた状態で収容できるようにされており、図３に示すように各保持穴１８内には保持穴１８の内周面から開口１８の内方に向けて突出された係止突起１９が形成されており、保持穴１８内に収容したアクセサリー１がリフィル１１の裏面側へ落下しないようにしている。
【００１０】
このリフィル１１はアクセサリー１の形状や大きさに対応させてアクセサリー１の種類毎に形成されており、必要に応じて任意のリフィル１１を前記載置部材１２に装着して使用できるようにしている。また、リフィル１１には図示していない透明の樹脂により形成された蓋が装着されて、リフィル１１をアクセサリー留め装置１に装着していない状態で保持穴１８内に保持されているアクセサリー１がリフィル１１の上面側から逸脱しないようにしている。
【００１１】
図１及び図４に示すように、載置部材１２の前方部分には前記リフィル１１を収容する収容部２０が形成されており、該収容部２０の中心部には上方に向けて突出された円柱状の支持突起２１が形成されている。この支持突起２１に前記リフィル１１の中心に形成されている中心開口１７を嵌合させることによって収容部２０内でリフィル１１が回転可能に支持される。また、前記リフィル１１の円盤状の外周面には、個々の保持穴１８に対応した凹溝２２が形成されており、載置部材１２から収容部２０内に向けて突出して配置されている係止部材２３が前記凹溝２２と係合することによってリフィル１１の自由回転が規制されて、この規制された位置において選択された１つの保持穴１８が載置部材１２の中心線上の止着位置に位置決めできるようにされている。また、この係止部材２３は載置部材１２内に設けられているバネ片２４によって弾力的に収容部２０内へ突出付勢されており、リフィル１１を回転操作することによって収容部２０内から退避させられてリフィル１１を回転させることができる。
【００１２】
また、図６に示すように、前記収容部２０の上面側には収容部２０に収容されたリフィル１１の上面側を覆うようにカバー２５が開閉可能に形成されており、収容部２０に装着したリフィル１１が収容部から逸脱したり、又はリフィル１１の保持穴１８内からアクセサリー１が逸脱しないようにしている。止着位置に位置決めされた前記リフィル１１の保持穴１８に対応した前記カバー２５の部分が切り欠かれており、前記止着位置に位置決めされた保持穴１８の上下の面が開放されるようにされている。
【００１３】
前記リフィル１１を収容する収容部２０は、収容部２０内に収容したリフィル１１の両側の一部が収容部２０から突出されるように、収容部２０の周壁の両側部分が切断されて形成されている。これによってリフィル１１を収容部２０に装着した状態で収容部２０から突出しているリフィル１１の外周部を指で操作して容易に回転させることが可能であり、リフィル１１に装填されている複数のアクセサリー１の留め作業を連続して行うことが可能となる。リフィル１１は前記凹溝２２と係止部材２３が係合することによってリフィル１１を収容している保持穴１８の位置に対応して回転抵抗が作用するので、アクセサリー１の保持穴１８を止着位置へ位置決めする操作が容易に行える。
【００１４】
前記載置部材１２の上面側で回動可能に配置されている操作部材１４には、前記リフィル１１の保持穴１８内に収容されて保持されている止めリング４の爪７を内側に向けて折り曲げ受け部材１３が装着されている。図５に示すように受け部材１３は、止めリング４の爪７と係合して爪７を内側に向けて誘導させるアンビル２６とこのアンビル２６保持して前記操作部材１４に装着するための保持部材２７によって形成されている。アンビル２６の端面には環状凹部２８が形成されており、該環状凹部２８が布地３を貫通した止めリング４の複数の爪７と係合して止めリング４の各爪７の先端部を同時に内側に向けて誘導させて爪７を布地３の裏面に沿わせて屈曲させるようにしている。
【００１５】
アンビル２６は使用するアクセサリー１の形状や大きさに対応して複数の種類が用意されており、載置部材１２に装着したリフィル１１に装填されているアクセサリー１に対応したアンビル２６を選択して保持部材２７に保持させて操作部材１４のほぼ中央部に形成されている保持部２９へ装着するようにしている。保持部材２７は図５に示されるように、円筒形状を縦方向に２分割した２つの部材によって形成されており、上端部の内面側に形成した環状の凹溝３０内にアンビル２６の下端に形成されている外径方向に張り出した鍔部３１を収容して、２つの保持部材２７を筒状に組み合わせて、各保持部材２７に形成されている係合部３２、３３を互いに係合させることによってアンビル２６が保持部材２７に保持されて操作部材１４の保持部２９へ装着できるようにしている。
【００１６】
前記ベース部材１６に保持されてリフィル１１に装填されているアクセサリー１を前記受け部材１３へ向けて押圧させる押え部材１５は上端面がアクセサリー１の形状に合わせて形成された筒状に形成されており、この押え部材１５がリフィル１１の保持穴１８内へ下面側から進入されることにより保持穴１８内に保持されている止めリング４の周縁部と係合して止めリング４をリフィル１１の上方に配置された受け部材１３へ向けて押圧移動させる。また、この押え部材１５は使用するアクセサリー１の形状や大きさに対応して複数の種類が用意されており、図６に示すように、選択された保持部材１５をベース部材１６のほぼ中央部に上向きに形成されている筒状の保持部３４内に挿入することによってベース部材１６に装着されている。ベース部材１６には更に、バネ３５によって上方へ向けて付勢されている押上部材３６が形成されており、この押上部材３６が前記載置部材１２の下面と当接することによって載置部材１２を上方位置へ回動付勢させている。
【００１７】
以下上記実施例のアクセサリー留め装置１０の作動状態を図６乃至図１０により説明する。図６に示すように、予めリフィル１１にはリフィル１１の各保持穴１８内に爪７を上に向けた止めリング４とアクセサリー本体２を装填しておく。アクセサリー留め装置１０を操作する以前には、ベース部材１６に形成した押上部材３６によって載置部材１２がベース部材１６に対して上方位置に回動されており、操作部材１４は更に載置部材１２に対して上方位置に回動されている。載置部材１２に形成されているカバー２５を開き収容部２０の上面を開放して、収容部２０の中心部に形成されている支持突起２１にリフィル１１の中心開口１７を嵌合させてリフィル１１を収容部２０内に収容する。
【００１８】
収容部２０のカバー２５を閉じて、図７に示すように収容部２０の両側から突出しているリフィル１１の外周面を軽く回動操作することによって、リフィル１１の外周面に形成されている凹溝２２と係止部材２３とが係合して１つの保持穴１８が止着位置に位置決めされる。カバー２５の上面にアクセサリー１を止着する布地３を載置して操作部材１４を下方側に回動操作すると、操作部材１４に装着されている受け部材１３が布地３を押圧して図８で詳細に示すようにリフィル１１の上面との間で布地３を挟持させる。
【００１９】
更に操作部材１４を押圧操作すると、図９及び図１０に示すように操作部材１４の受け部材１３によってリフィル１１が下方に移動されてこれに伴って載置部材１２が下方へ回動されて、リフィル１１の保持穴１８内にベース部材１６の押え部材１５が進入して保持穴１８内に収容されている止めリング４と押え部材１５が係合して止めリング４を下側から支持する。更に操作部材１４が下方へ押圧操作されると受け部材１３によって布地３が下方へ押圧されて止めリング４の爪７が布地３を貫通され、布地３を貫通した複数の爪７が受け部材１３のアンビル２６に形成されている環状凹部２８と係合することによって各爪７がそれぞれ内側へ誘導されて布地３の裏面に沿って折り曲げられて、アクセサリー本体２が止めリング４によって布地３に取り付けられる。
【００２０】
アクセサリー１の取り付けが完了した後に、操作部材１４を上方へ回動させることによって、載置部材１２はベース部材１６に形成されている押上部材３６によって上方に回動され、押え部材１５がリフィル１１の保持穴１８内から抜け出るので、リフィル１１を回転させて新しいアクセサリー１が収容されている保持穴１８を止着位置に位置決めし、上記操作を繰り返し行うことによって連続的にアクセサリー１の留め作業を行うことが可能である。
【００２１】
【考案の効果】
上記のように本考案によれば、円盤状に形成されるとともに該円盤の円周方向に沿って形成された多数の保持穴内に前記アクセサリーを装填したリフィルと、アクセサリーを収容した前記リフィルを回転自在に収容する収容部が形成された載置部材と、該載置部材の上方に配置されるとともに布地を貫通した止めリングの爪と係合して爪を布地の裏面に沿って折り曲げる受け部材を備えた操作部材と、前記載置部材の下方に配置されるとともに前記リフィルの保持穴内に進入して保持穴内のアクセサリーを前記受け部材へ向けて押圧させる押え部材を備えたベース部材とから構成され、上記載置部材と操作部材およびベース部材を各々の後端部において回動可能に枢支させて構成しているので、操作部材を押し下げ操作することによってアクセサリー本体を止める止めリングの爪を布地に貫通させると同時に、該爪を布地の裏面側に沿って折り曲げることが同時にでき、アクセサリーの取り付け操作をきわめて容易に行うことができる。また、リフィルを交換することによって種類の異なったアクセサリーを任意に布地に止着させることができる。
【００２２】
また、操作部材に形成した受け部材を操作部材のほぼ中央部に形成することにより、テコの作用によってアクセサリーの爪が布地を貫通するときと爪を布地の裏面に沿わせて折り曲げする時の大きな荷重が軽減されて、幼児や女子等の指先の力が弱いものであっても容易にアクセサリー留めを行うことができる。
【００２３】
更に、請求項２の考案によれば、前記リフィルを前記載置部の収容部内で回転自在に装着させるとともに、前記リフィルの外周の一部を収容部の側面部から外方に突出させておきこれによってリフィルを載置部材の収容部内で回転できるようにしているので、リフィルを載置部材に装着したままで回転操作することができ、１つのアクセサリー留め操作が完了した後、リフィルを回転させることによって多数のアクセサリー１の留め操作を連続的に短時間で行うことが可能である。
【図面の簡単な説明】
【図１】本考案の実施例にかかるアクセサリー留め装置の斜視図
【図２】多数のアクセサリーを装填するリフィルの斜視図
【図３】図２と同じリフィルの一部を示す縦断面図
【図４】リフィルを装着した載置部材を示す平面図
【図５】受け部材を示す斜視図
【図６】リフィルを装着している状態のアクセサリー留め装置の断面図
【図７】載置部材と受け部材との間で布地を挟持した状態のアクセサリー留め装置を示す断面図
【図８】図７と同じ状態の要部を示す拡大断面図
【図９】アクセサリーを布地に止着した状態のアクセサリー留め装置を示す断面図
【図１０】図９と同じ状態の要部を示す拡大断面図
【図１１】本考案で使用するアクセサリーを示す斜視図
【図１２】アクセサリーを取り付けた布地の（ａ）表面側を示す斜視図と、（ｂ）裏面側を示す斜視図
【符号の説明】
１　アクセサリー
２　アクセサリー本体
３　布地
７　爪
１０　アクセサリー留め装置
１１　リフィル
１２　載置部材
１３　受け部材
１４　操作部材
１５　押え部材
１６　ベース部材
２０　収容部
２５　カバー
【図１】
0003098058.tif 000003
【図２】
0003098058.tif 000004
【図３】
0003098058.tif 000005
【図４】
0003098058.tif 000006
【図５】
0003098058.tif 000007
【図６】
0003098058.tif 000008
【図７】
0003098058.tif 000009
【図８】
0003098058.tif 000010
【図９】
0003098058.tif 000011
【図１０】
0003098058.tif 000012
【図１１】
0003098058.tif 000013
【図１２】
0003098058.tif 000014